(57)【要約】【課題】樹脂製遊技盤面に形成した装着穴内に木製合板から成る遊技球植設部材を装着した場合に、装着穴周縁に形成される段差が遊技球の挙動に悪影響を与えることがないようにした樹脂製遊技盤ユニット、及びパチンコ遊技機を提供する。【解決手段】少なくとも一つの装着穴３を備えた樹脂製遊技盤本体２と、該装着穴内に装着される合板片１０と、該合板片の表面に遊技球が通過し得ない狭い間隔で植設された複数本の遊技釘２０と、該遊技釘に沿って且つ該合板片表面と樹脂製遊技盤本体表面に跨って形成された遊技球通路３０と、を備えた樹脂製遊技盤ユニットであって、遊技球通路内に装着穴と合板片との境界線Ｓが位置している場合に、該境界線と遊技釘との間の間隔を、遊技球通路を通過する遊技球に前記境界線が干渉しないように設定した。【選択図】図１
2009279188.tif 000002
【特許請求の範囲】
【請求項１】
少なくとも一つの装着穴を備えた樹脂製遊技盤本体と、該装着穴内に装着される合板片と、該合板片の表面に遊技球が通過し得ない狭い間隔で植設された複数本の遊技釘と、該遊技釘に沿って且つ該合板片表面と樹脂製遊技盤本体表面に跨って形成された遊技球通路と、を備えた樹脂製遊技盤ユニットであって、
前記遊技球通路内に前記装着穴と前記合板片との境界線が位置している場合に、該境界線と前記遊技釘との間の間隔を、前記遊技球通路を通過する遊技球に前記境界線が干渉しないように設定したことを特徴とする樹脂製遊技盤ユニット。
【請求項２】
少なくとも一つの装着穴を備えた樹脂製遊技盤本体と、該装着穴内に装着される合板片と、該合板片の表面に立設された盤面部品と、該盤面部品に沿って且つ該合板片表面と樹脂製遊技盤本体表面に跨って形成された遊技球通路と、を備えた樹脂製遊技盤ユニットであって、
前記遊技球通路内に前記装着穴と前記合板片との境界線が位置している場合に、該境界線と前記盤面部品との間の間隔を、前記遊技球通路を通過する遊技球に前記境界線が干渉しないように設定したことを特徴とする樹脂製遊技盤ユニット。
【請求項３】
少なくとも一つの装着穴を備えた樹脂製遊技盤本体と、該装着穴内に装着される合板片と、該合板片の表面に遊技球が通過し得ない狭い間隔で植設された複数本の遊技釘、又は該合板面表面に立設された盤面部品と、該遊技釘、又は該盤面部品に沿って形成された遊技球通路と、を備えた樹脂製遊技盤ユニットであって、
少なくとも２つの前記合板片が外周縁同志を接触させて一つの境界線を形成し、且つ各合板片の外周縁に沿って配置された遊技釘、又は盤面部品間に前記遊技球通路が形成されている場合に、前記境界線と前記遊技釘又は前記盤面部品との間隔を、前記遊技球通路を通過する遊技球に前記境界線が干渉しないように設定したことを特徴とする樹脂製遊技盤ユニット。
【請求項４】
前記遊技釘又は前記盤面部品と遊技球とが接触する接触位置と、前記境界線との間隔を、前記遊技球の直径の１／２未満としたことを特徴とする請求項１乃至３の何れか一項に記載の樹脂製遊技盤ユニット。
【請求項５】
前記合板片には、複数の前記遊技釘が少なくとも一列に植設された遊技釘列が形成されており、
前記遊技釘列と前記境界線との間の領域が遊技球通路の一部を構成している場合には、前記遊技釘列を構成する個々の遊技釘と遊技球との接触位置と前記境界線との間隔を、前記遊技球の直径の１／２未満としたことを特徴とする請求項１に記載の樹脂製遊技盤ユニット。
【請求項６】
前記装着穴の奥側には前記合板片の裏面を支持するサポート片が配置されており、該装着穴の表面側から前記合板片を装着するように構成されていることを特徴とする請求項１乃至５の何れか一項に記載の樹脂製遊技盤ユニット。
【請求項７】
前記合板片の表面には、予め前記遊技釘、又は前記盤面部品が配置されていることを特徴とする請求項１乃至６の何れか一項に記載の樹脂製遊技盤ユニット。
【請求項８】
前記遊技釘、又は前記盤面部品は、前記装着穴内に前記合板片を装着した後で該合板片の表面に配置されることを特徴とする請求項１乃至６の何れか一項に記載の樹脂製遊技盤ユニット。
【請求項９】
請求項１乃至８の何れか一項に記載の樹脂製遊技盤ユニットを備えたことを特徴とするパチンコ遊技機。
【発明の詳細な説明】
【技術分野】
【０００１】
本発明は、従来木製合板によって構成されていた遊技盤をアクリル等の樹脂板によって構成する一方で、遊技釘を植設する部位のみを木製合板としたことによって遊技盤面上に形成される段差によって遊技球の流下軌跡が変動する不具合を解消するようにした樹脂製遊技盤ユニット、及びパチンコ遊技機に関する。
【背景技術】
【０００２】
環境保護等の社会的要請から、パチンコ遊技機の遊技盤として従来から使用されてきた木製の合板に代えてアクリル等の樹脂製遊技盤が徐々に使用され始めている。
樹脂製遊技盤は木製合板に比して耐久性が高く、任意の形状に成形し易く、透明にしたり、任意の色に着色し易い等の利点を有する反面、遊技釘を植設したり、ネジを螺着し難いという難点を有している。
その対策として、特許文献１には樹脂製遊技盤に設けた貫通孔内に木質材料から成る介在部材を嵌合し、この介在部材に遊技釘を打ち込む技術が開示されている。これによれば、樹脂材料を回避した位置に設けた木材部分に遊技釘を打ち込むため、従来の木製遊技盤面に対する釘打ち作業と同様の作業性を確保することができる、とされている。しかし、遊技盤面には２００本程度の多数の遊技釘が植設されているため、全ての遊技釘を打ち込むための貫通孔を遊技盤面に形成してから、各貫通孔内に介在部材を嵌合し、更にこの介在部材に対して釘打ちを行う作業は製造工数の増大と、生産性の低下と、それに伴うコストアップをもたらすことが明かである。また、貫通孔と介在部材との境界線に沿って形成される段差によって遊技球の流下軌跡に悪影響を与えるという遊技進行上の不具合もある。
【０００３】
次に、特許文献２には、木製の遊技盤に貫通形成した取付け穴内に、予め複数の遊技釘を植設した状態で成形した樹脂部材を嵌合させることによって遊技釘の植設手数を低減する技術が開示されている。
また、特許文献３には、遊技盤ベースに設けた取付け穴内に遊技釘を植設した植設基板を嵌合することによって、遊技釘の流下調整作業を容易化した技術が開示されている。
しかし、特許文献２、３のように遊技盤面に形成した穴内に遊技釘を植設した別部材を嵌合配置すると、遊技盤面と遊技釘植設部材との境界に沿って段差、或いは溝が形成され、この段差等が遊技釘の近傍を流下する遊技球の流路に悪影響を及ぼす虞があり、計算通りの流下経路調整がしにくくなる。
例えば、図６に示したように樹脂製遊技盤１００に形成した装着穴１０１内に合板製の遊技釘植設部材１０５を装着し、各遊技釘植設部材１０５上に植設された遊技釘１１０から成る釘列間に遊技球通路１１５を形成したり、釘列と盤面部品との間に遊技球通路１１５を形成した場合には、各遊技球通路１１５内に装着穴と遊技釘植設部材との境界線Ａが位置することとなる。樹脂製遊技盤及び遊技釘植設部材を製造する際の精度誤差によって、この境界線Ａを無段差状に形成することは難しく、遊技球通路１１５を通過する遊技球Ｂに対して境界線Ａに沿った段差が干渉して遊技球の流下経路に悪影響を与えることとなる。
【特許文献１】特開２００５−１３４９３公報
【特許文献２】特開２００２−１７７４９９公報
【特許文献３】特開２００６−２４７１０６公報
【発明の開示】
【発明が解決しようとする課題】
【０００４】
以上のようにアクリル等の樹脂製遊技盤にあっては、遊技釘を植設する部位のみを木製合板とする必要があるが、この場合には樹脂製遊技盤面に形成した装着穴と、この装着穴内に装着される木製合板片との境界線に沿って段差、溝が形成され、この段差等が遊技球の通過経路内に干渉する場合には遊技球の流下軌跡に悪影響を与えるという問題があった。
本発明は上記に鑑みてなされたものであり、樹脂製遊技盤面に形成した装着穴内に木製合板から成る遊技球植設部材を装着した場合に、装着穴周縁に形成される段差が遊技球の挙動に悪影響を与えることがないようにした樹脂製遊技盤ユニット、及びパチンコ遊技機を提供することを目的としている。
【課題を解決するための手段】
【０００５】
上記目的を達成するため、請求項１の発明に係る樹脂製遊技盤ユニットは、少なくとも一つの装着穴を備えた樹脂製遊技盤本体と、該装着穴内に装着される合板片と、該合板片の表面に遊技球が通過し得ない狭い間隔で植設された複数本の遊技釘と、該遊技釘に沿って且つ該合板片表面と樹脂製遊技盤本体表面に跨って形成された遊技球通路と、を備えた樹脂製遊技盤ユニットであって、前記遊技球通路内に前記装着穴と前記合板片との境界線が位置している場合に、該境界線と前記遊技釘との間の間隔を、前記遊技球通路を通過する遊技球に前記境界線が干渉しないように設定したことを特徴とする。
合板片の外周縁に沿って植設された遊技釘の外側に遊技球通路が形成されている場合には、合板片と装着穴との境界線が遊技球通路内に位置することとなり、遊技球の流下経路に不要な変動をもたらす虞があるが、本発明では境界線の位置を遊技球と干渉しない位置に設定するようにしたので、そのような不具合を解決できる。
請求項２の発明に係る樹脂製遊技盤ユニットは、少なくとも一つの装着穴を備えた樹脂製遊技盤本体と、該装着穴内に装着される合板片と、該合板片の表面に立設された盤面部品と、該盤面部品に沿って且つ該合板片表面と樹脂製遊技盤本体表面に跨って形成された遊技球通路と、を備えた樹脂製遊技盤ユニットであって、前記遊技球通路内に前記装着穴と前記合板片との境界線が位置している場合に、該境界線と前記盤面部品との間の間隔を、前記遊技球通路を通過する遊技球に前記境界線が干渉しないように設定したことを特徴とする。
合板片の外周縁に沿って立設された盤面部品の外側に遊技球通路が形成されている場合には、合板片と装着穴との境界線が遊技球通路内に位置することとなり、遊技球の流下経路に不要な変動をもたらす虞があるが、本発明では境界線の位置を遊技球と干渉しない位置に設定するようにしたので、そのような不具合を解決できる。
【０００６】
請求項３の発明に係る樹脂製遊技盤ユニットは、少なくとも一つの装着穴を備えた樹脂製遊技盤本体と、該装着穴内に装着される合板片と、該合板片の表面に遊技球が通過し得ない狭い間隔で植設された複数本の遊技釘、又は該合板面表面に立設された盤面部品と、該遊技釘、又は該盤面部品に沿って形成された遊技球通路と、を備えた樹脂製遊技盤ユニットであって、少なくとも２つの前記合板片が外周縁同志を接触させて一つの境界線を形成し、且つ各合板片の外周縁に沿って配置された遊技釘、又は盤面部品間に前記遊技球通路が形成されている場合に、前記境界線と前記遊技釘又は前記盤面部品との間隔を、前記遊技球通路を通過する遊技球に前記境界線が干渉しないように設定したことを特徴とする。
少なくとも２つの合板片が外周縁を接して配置され、且つ両合板片の境界線が遊技球通路内に位置している場合にも、遊技球通路内を通過する遊技球と境界線との干渉の問題が生じる。この場合にも境界線と遊技釘又は前記盤面部品との間隔を、遊技球通路を通過する遊技球に境界線が干渉しないように設定することが有効である。
請求項４の発明に係る樹脂製遊技盤ユニットは、請求項１乃至３の何れか一項において、前記遊技釘又は前記盤面部品と遊技球とが接触する接触位置と、前記境界線との間隔を、前記遊技球の直径の１／２未満としたことを特徴とする。
遊技球通路を通過する遊技球と境界線との干渉を防止するためには、遊技釘、又は盤面部品側面（遊技球との接触位置）と境界線との間隔を遊技球の直径の１／２未満とすることが有効である。
【０００７】
請求項５の発明に係る樹脂製遊技盤ユニットは、請求項１において、前記合板片には、複数の前記遊技釘が少なくとも一列に植設された遊技釘列が形成されており、前記遊技釘列と前記境界線との間の領域が遊技球通路の一部を構成している場合には、前記遊技釘列を構成する個々の遊技釘と遊技球との接触位置と前記境界線との間隔を、前記遊技球の直径の１／２未満としたことを特徴とする。
遊技釘が一列に植設されている場合には個々の遊技釘と境界線との間隔が遊技球の直径の１／２未満となるように構成することが有効である。
請求項６の発明に係る樹脂製遊技盤ユニットは、請求項１乃至５において、前記装着穴の奥側には前記合板片の裏面を支持するサポート片が配置されており、該装着穴の表面側から前記合板片を装着するように構成されていることを特徴とする。
装着穴内に表面側から合板片を装着する場合には、装着穴の奥側に設けたサポート片により支持することが有効である。
請求項７の発明に係る樹脂製遊技盤ユニットは、請求項１乃至６の何れか一項において、記合板片の表面には、予め前記遊技釘、又は前記盤面部品が植設されていることを特徴とする。
請求項８の発明に係る樹脂製遊技盤ユニットは、請求項１乃至６の何れか一項において、前記遊技釘、又は前記盤面部品は、前記装着穴内に前記合板片を装着した後で該合板片の表面に配置されることを特徴とする。
請求項９の発明に係るパチンコ遊技機は、請求項１乃至８の何れか一項に記載の樹脂製遊技盤ユニットを備えたことを特徴とする。
【発明の効果】
【０００８】
以上のように本発明によれば、樹脂製遊技盤面に形成した装着穴内に木製合板から成る合板片（遊技球植設部材）を装着した場合に、装着穴周縁に形成される段差が遊技球の挙動に悪影響を与えることを防止できる。即ち、合板片の外周縁に沿って植設された遊技釘、盤面部品の外側に遊技球通路が形成されている場合には、合板片と装着穴との境界線が遊技球通路内に位置することとなり、遊技球の流下経路に不要な変動をもたらす虞があるが、本発明では境界線の位置を遊技球と干渉しない位置に設定するようにしたので、そのような不具合を解決できる。
【発明を実施するための最良の形態】
【０００９】
以下、本発明を図面に示した実施の形態により詳細に説明する。
図１（ａ）は本発明の一実施形態に係る樹脂製遊技盤ユニットの要部構成を示す平面図、（ｂ）はＸ−Ｘ断面図であり、（ｃ）はＹ−Ｙ断面図である。
この樹脂製遊技盤ユニット１は、少なくとも一つの装着穴３を備えた樹脂製遊技盤本体２と、装着穴３内に装着される木製の合板片（遊技釘植設部材）１０と、合板片１０の表面に植設された遊技釘２０と、を備えている。合板片表面及び樹脂製遊技盤本体面上には、遊技釘２０に沿い、且つ合板片表面と樹脂製遊技盤本体表面に跨った領域に遊技球Ｂが流下する遊技球通路３０が形成されている。
図１（ｂ）（ｃ）に示すように本例では、装着穴３の奥側に合板片１０の裏面を支持するサポート片４が配置されており、装着穴３の表面側から合板片を装着し、ビス等の留め具５により合板片裏面をサポート片４に固定するように構成されている。なお、合板片１０を装着穴３内に固定する構造はこれに限定されるものではない。
合板片１０の表面に対して予め遊技釘２０を植設してから、この合板片を装着穴３内に装着してもよいし、合板片１０を装着穴３内に装着してから遊技釘２０を植設してもよい。
【００１０】
本発明の特徴的な構成は、遊技球通路３０内に装着穴３の内周縁３ａと合板片１０の外周縁１０ａとの境界線Ｓ（接触線）が位置している場合に、境界線Ｓと遊技釘（列）との間の間隔Ｌを、遊技球通路３０を通過する遊技球Ｂに装着穴内周縁と該合板片外周縁との境界線Ｓ（段差部、或いは隙間）が干渉しないように設定した点にある。
図１（ａ）の例では、所定の間隔を隔てて並行して形成された２つの装着穴３Ａ，３Ｂ内に夫々合板片１０が嵌合されており、各合板片１０の表面にはその長手方向に沿って夫々一列に遊技釘２０が植設されている。また、各合板片１０上の遊技釘列間には遊技球通路３０が形成されている。遊技球Ｂの直径をＤ（約１．１ｃｍ）とした場合、合板片１０の外周縁１０ａと遊技釘（列）２０との間隔Ｌは、Ｄ／２（約５．５ｍｍ）未満となるように設定されている。
なお、ここで遊技釘２０と境界線Ｓとの間隔Ｌという場合における遊技釘２０とは、図１（ｃ）に示すように遊技釘の大径の頭部を除いた棒状本体２０ａの外周面と境界線Ｓとの間の距離を示す。
従って、間隔Ｌとは、遊技釘の棒状本体２０ａと遊技球Ｂとが接触する接触位置Ｃと、境界線Ｓとの間隔である。このように接触位置Ｃと境界線Ｓとの間隔Ｌを、遊技球Ｂの直径の１／２以下としたことにより、遊技球と遊技球通路３０との接触部は必ず境界線Ｓの外側となり、境界線Ｓに沿って形成される段差や溝と干渉されることがなくなる。
【００１１】
また、遊技釘が合板片の表面と直交して立設されていない場合、即ち遊技球通路３０側に傾斜している場合（図１（ｄ））や、遊技球通路とは反対側に傾斜している場合（（ｅ））においては、遊技釘の棒状本体と遊技球との接触位置Ｃから遊技球通路内に位置する境界線Ｓまでの距離が間隔Ｌであり、間隔Ｌを、遊技球Ｂの直径の１／２以下としたことにより、遊技球と遊技球通路３０との接触部は必ず境界線Ｓの外側となり、境界線Ｓに沿って形成される段差や溝と干渉されることがなくなる。換言すれば、遊技釘が垂直に立設されている場合のみならず、図１（ｅ）のように遊技球通路とは反対側に傾斜している場合の傾斜角度を想定した上で、遊技釘２０の植設位置を境界線Ｓに近接させておく（間隔Ｌを遊技釘が垂直な場合よりも狭くしておく）ことが有効である。
このように合板片１０に複数の遊技釘２０が一列に、且つ遊技釘が通過し得ない程度の狭い間隔で植設された遊技釘列２０Ｌが形成されており、遊技釘列２０Ｌと境界線Ｓとの間の領域が遊技球通路３０の一部を構成している場合には、遊技釘列を構成する個々の遊技釘（接触位置Ｃ）と境界線Ｓとの間隔Ｌを、遊技球の直径の１／２未満とすることにより、遊技球通路３０を通過する遊技球Ｂと遊技球通路３０との接点は常に境界線Ｓを回避した位置となり、境界線Ｓに形成される段差、溝が遊技球に干渉することがなくなる。
【００１２】
次に、図２（ａ）及び（ｂ）は本発明の他の実施形態に係る樹脂製遊技盤ユニットの要部構成を示す平面図、及びＹ−Ｙ断面図であり、複数の遊技釘２０を遊技球が通過し得ない程度に近接させて一列に配置した合板片１０を装着穴３内に嵌合すると共に、遊技釘列２０Ｌと、遊技釘列の両側方に離間配置された盤面部品３５との間に遊技球通路３０が形成されている。
このように遊技釘列２０Ｌと盤面部品３５との間に遊技球通路３０が形成されている場合にも、上記実施形態の場合と同様に、遊技釘２０と、盤面部品３５側に位置する境界線Ｓとの間隔Ｌを、Ｄ（遊技球の直径）／２（約５．５ｍｍ）未満に設定する。このように構成することにより、遊技球通路３０を通過する遊技球Ｂが遊技釘２０に接触しながら移動したとしても境界線Ｓが遊技球と干渉することがなくなり、遊技球の移動軌跡に悪影響を及ぼすことがなくなる。
なお、上記各実施形態では、合板片１０上に複数の遊技釘２０を直線状に配列した場合について説明したが、図３（ａ）のように遊技釘２０を曲線を描くように配列した場合や、（ｂ）のように屈曲線を描くように配列した場合において、遊技釘列２０Ｌと隣接する領域に遊技球通路３０が存在する場合にも、境界線Ｓと遊技球との干渉を防止するための上記構成を適用することができる。
このように近接配置された２つの合板片１０の各外周縁１０ａに沿って植設された遊技釘２０によって遊技球通路３０が形成されている場合には、遊技球通路３０の両側に位置する各境界線Ｓと遊技球とが干渉しないように境界線Ｓの位置を適切に設定する。
【００１３】
次に、図４は形状及び遊技釘の配列が異なる複数の合板片を隣接配置した例を示す平面図である。この配置例においては、各合板片の外周縁に沿って配置された遊技釘列と境界線Ｓとの間の領域が遊技球通路３０中に含まれる場合には、遊技球と境界線Ｓとの干渉の問題が生じる余地があるため、上記領域の間隔Ｌ（遊技釘と遊技球との接触位置と境界線Ｓとの間隔）が遊技球Ｂの直径の１／２未満となるように構成する。
また、図４中の符号Ｄで示す遊技球通路のように、２つの合板片１０がその外周縁１０ａを直接接触させている場合にその境界線Ｓに段差、溝が形成される場合にも本発明は適用することができる。即ち、例えば外周縁同志が接触して隣接配置された２つの合板片の外周縁に沿って夫々立設された遊技釘列２０Ｌによって遊技球通路３０が形成されている場合にも当該境界線が遊技球に干渉することが必要となるため、本発明により遊技球との干渉を回避することができる。この場合には境界線Ｓの位置を一方の遊技釘列（左側）に近接配置させてＬ＜Ｂ／２とすれば足りる。他方の遊技釘列については共通の境界線Ｓから十分に離間させておけばよい。
【００１４】
なお、上記の各実施形態では、合板片１０の面上に遊技釘が植設されている場合についてのみ説明したが、図５に示すように合板片１０の面上に盤面部品３５が搭載されており、しかも盤面部品の側面側に遊技球通路３０が形成されている場合にも本発明を適用することができる。
即ち、本例では、盤面部品３５を合板片１０の外周縁１０ａに沿って配置すると共に、盤面部品３５の側面（遊技球との接触位置）３５ａと外周縁１０ａとの間隔Ｌを遊技球Ｂの直径Ｄの１／２未満とすることにより、盤面部品の側面３５ａに接触しながら通過する遊技球Ｂが境界線Ｓによる干渉を受けて移動軌跡に変動をきたすことが防止される。
遊技球通路３０が形成されない領域については、境界線Ｓと遊技釘との位置関係について規制する必要はない。
なお、本発明による遊技球との干渉防止のための構造は、各図に示した構成例のみならず、合板片上に搭載した遊技釘や盤面部品に沿って遊技球通路が形成される場合一般に適用することができる。
【００１５】
以上のように本発明によれば、合板片の外周縁に沿って植設された遊技釘、或いは盤面部品の外側に遊技球通路が形成されている場合には、合板片と装着穴との境界線が遊技球通路内に位置することとなり、遊技球の流下経路に不要な変動をもたらす虞があるが、本発明では境界線の位置を遊技球と干渉しない位置に設定するようにしたので、そのような不具合を解決できる。
また、少なくとも２つの合板片が外周縁を接して配置され、且つ両合板片の境界線が遊技球通路内に位置している場合にも、遊技球通路内を通過する遊技球と境界線との干渉の問題が生じる。この場合にも境界線と遊技釘又は前記盤面部品との間隔を、遊技球通路を通過する遊技球に境界線が干渉しないように設定することが有効である。
特に、遊技球通路を通過する遊技球と境界線との干渉を防止するためには、境界線の位置を遊技釘、又は盤面部品側面（遊技球との接触位置）と境界線との間隔を遊技球の直径の１／２未満とすることが有効である。
更に、遊技釘が一列に植設されている場合には個々の遊技釘と境界線との間隔が遊技球の直径の１／２未満となるように構成することが有効である。
また、装着穴内に表面側から合板片を装着する場合には、装着穴の奥側に設けたサポート片により支持することが有効である。
また、本発明の樹脂製遊技盤ユニットは、パチンコ遊技機、その他の遊技球を利用する遊技機の遊技盤面に適用することができる。
【図面の簡単な説明】
【００１６】
【図１】（ａ）は本発明の一実施形態に係る樹脂製遊技盤ユニットの要部構成を示す平面図、（ｂ）はＸ−Ｘ断面図であり、（ｃ）はＹ−Ｙ断面図であり、（ｄ）及び（ｅ）は遊技釘が傾斜している場合を説明する縦断面図である。
【図２】（ａ）及び（ｂ）は本発明の他の実施形態に係る樹脂製遊技盤ユニットの要部構成を示す平面図、及びＹ−Ｙ断面図である。
【図３】（ａ）及び（ｂ）は本発明の他の実施形態に係る樹脂製遊技盤ユニットの構成例を示す平面図である。
【図４】形状及び遊技釘の配列が異なる複数の合板片を隣接配置した例を示す平面図である。
【図５】合板片上に盤面部品を搭載した場合の構成例を示す平面図である。
【図６】従来例の欠点を説明するための図である。
【符号の説明】
【００１７】
１…樹脂製遊技盤ユニット、２…樹脂製遊技盤本体、３…装着穴、３Ａ，３Ｂ…装着穴、３ａ…内周縁、４…サポート片、１０…合板片、１０ａ…外周縁、２０…遊技釘、２０Ｌ…遊技釘列、２０ａ…棒状本体、３０…遊技球通路、３５…盤面部品、３５ａ…側面
【図１】
2009279188.tif 000003
【図２】
2009279188.tif 000004
【図３】
2009279188.tif 000005
【図４】
2009279188.tif 000006
【図５】
2009279188.tif 000007
【図６】
2009279188.tif 000008